(57)【要約】【課題】使用者がグリップ部分を所定位置において確実に握ることが可能であるとともに、見栄えや美観が良いグリップ構造体及びゴルフクラブの提供を目的とした。【解決手段】グリップ部１６の外周面２８のうち、例えばトウ側周部３０及びヒール側周部に、グリップ部１６の軸方向に所定の間隔毎に目盛５０が設けられており、特にトウ側周部３０においては、目盛５０がグリップ部１６の周方向にのびる凹凸によって形成されている。この目盛５０は位置調整目盛及び／又は角度調整目盛として機能するものである。また、グリップ部分１６の下側部分に、別途角度調整目盛６０、６２、６４を設けてもよい。【選択図】図７
2011087677.tif 000002
【特許請求の範囲】
【請求項１】
グリップ部と、
前記グリップ部の軸方向に所定の間隔毎に設けられており少なくとも一部が凹凸部により形成されている位置調整目盛、及び／又は、前記グリップ部の周方向に所定の角度毎に設けられている角度調整目盛と、
を具備することを特徴とするグリップ構造体。
【請求項２】
打撃時に球体が接触する打撃面を有する打撃具に用いられるものであって、
前記グリップ部の外周面のうち、前記打撃面に略交差する側面部分に前記凹凸部が設けられていること、
を特徴とする請求項１に記載のグリップ構造体。
【請求項３】
前記グリップ部の外周面に、所定方向に向けて延びるシボが形成されたシボ形成領域を有し、
前記凹凸部が前記シボ形成領域内に設けられており、
前記シボが延びる方向と、前記凹凸部が延びる方向とが交差していること、
を特徴とする請求項１又は２に記載のグリップ構造体。
【請求項４】
請求項１〜３のいずれかに記載のグリップ構造体を具備すること、
を特徴とするゴルフクラブ。
【発明の詳細な説明】
【技術分野】
【０００１】
本発明はグリップ構造体及びゴルフクラブに関するものであり、特にグリップ部に特徴を有するものである。
【背景技術】
【０００２】
従来より、ゴルフクラブやラケット等のように、球体を打撃するために使用される打撃具の多くはグリップ部を備えている。そして、グリップ部のグリップ位置やグリップの仕方が、打球の方向性や飛距離に大きく影響を与えるため、適切なグリップ位置や姿勢でグリップ部を握ることができるよう、様々な形状や構造を有するゴルフクラブ等が提供されている。
【０００３】
例えば特許文献１に開示されているゴルフクラブは、グリップとシャフトとの接続位置を任意に変更することが可能な構造とされており、シャフトの長さを使用者の要望に応じて適宜調整することができる。
【０００４】
また、例えば特許文献２に開示されているゴルフクラブは、非力な一般プレーヤーであっても、グリップ位置を変えることよって方向性と飛距離のどちらかを重視した打ち分けを行えるようにすることを目的として提供されたものである。このゴルフクラブでは、シャフトの後端部に設けられたグリップ部の長さを３５０〜５００ｍｍとし、グリップ部に相当する部分において、グリップ部の先端から後端にいくにつれてシャフトの曲げ剛性が漸減するように形成することにより、前述した目的の達成を図っている。
【先行技術文献】
【特許文献】
【０００５】
【特許文献１】特開平５−９２０５６号公報
【特許文献２】特開平１１−４２３０５号公報
【発明の概要】
【発明が解決しようとする課題】
【０００６】
上記特許文献１に記載のゴルフクラブは、シャフトの上端部に付された目印を目安としてシャフトを適切な長さに調整できるというものであるが、このゴルフクラブを用いた場合、打球の方向性や飛距離を変更する度にシャフトの長さ調整を行わねばならない。また、シャフトの長さを調整したとしても、グリップの握り位置が変わると打球の方向性や飛距離が微妙に変化してしまい、所望の効果が得られないという問題がある。
【０００７】
また、上記特許文献２に記載のゴルフクラブは、従来公知のゴルフクラブに比べてグリップ部の長さが極端に長く、グリップ部の周面にインチ刻みの目印がリング状の色線により、はっきりと識別できるように設けられている。そのため、このゴルフクラブは、見栄えや美観に劣るという問題がある。また、グリップ部分は、使用者の手から出る汗が付着したり、手と摩擦を生じたりする部分であるところ、前述した色線による目印は、汗や摩擦の影響などにより消失しやすく、使用開始後まもなく目印としての機能が損なわれてしまうことがある。
【０００８】
また、特許文献２における目印のように視覚にのみ訴えるものである場合は、視認によりはじめてグリップ部の所定の位置を握っていることが判明するため、目印にあわせてグリップを握ったとしても、その後スイングを行う直前までの間にグリップを握っている位置が変化したことに気づかないままスイングしてしまい、所望の効果が得られない可能性がある。
【０００９】
また、一般的に、所望の方向に打球を飛ばし、所望の飛距離を得るためには、クラブヘッドのフェースをボールに対してしっかりと正面から当てることが望ましいと考えられるが、そのようなグリップの構造は上記特許文献１及び特許文献２に記載の技術では実現できていない。
【００１０】
そこで、本発明は、使用者がグリップ部分を所定位置において確実に握ることが可能であるとともに、見栄え及び美観の良いゴルフクラブを提供し得るグリップ構造体の提供を目的とする。
【課題を解決するための手段】
【００１１】
上述した課題を解決すべく、本発明は、
グリップ部を有し、
前記グリップ部の軸方向に所定の間隔毎に設けられており少なくとも一部が凹凸部により形成されている位置調整目盛（以下、単に「位置調整目盛」ということがある。）、及び／又は、前記グリップ部の周方向に所定の角度毎に設けられている角度調整目盛（以下、単に「角度調整目盛」ということがある。）と、
を具備することを特徴とするグリップ構造体を提供する。
【００１２】
本発明のグリップ構造体は、上記のように、位置調整目盛又は角度調整目盛のいずれか一方を含んでいる態様であっても、位置調整目盛又は角度調整目盛の両方を含む態様であってもよいが、好ましくは位置調整目盛又は角度調整目盛の両方を含む。また、本発明のグリップ構造体では、設けられた目盛が、位置調整目盛又は角度調整目盛として機能するものであっても、位置調整目盛及び角度調整目盛の両方として機能するものであってもよい。
【００１３】
上記本発明のグリップ構造体は、
打撃時に球体が接触する打撃面を有する打撃具に用いられるものであって、
前記グリップ部の外周面のうち、前記打撃面に略交差する側面部分に前記凹凸部が設けられていることを特徴とするものとすることが可能である。
【００１４】
上記本発明のグリップ構造体は、
前記グリップ部の外周面に、所定方向に向けて延びるシボが形成されたシボ形成領域を有し、
前記凹凸部が前記シボ形成領域内に設けられており、
前記シボが延びる方向と、前記凹凸部が延びる方向とが交差していることを特徴とするものであることが好ましい。
【００１５】
また、本発明は、
上記のグリップ構造体を具備することを特徴とするゴルフクラブを提供する。
【発明の効果】
【００１６】
本発明のグリップ構造体は、グリップ部に凹凸により形成された位置調整目盛が複数設けられたものであるため、視覚だけでなく触覚によってもグリップ位置を確認することができる。また、本発明のグリップ構造体は、触覚により位置調整目盛を確認できるため、位置調整目盛にあわせてグリップ部が握られた後、グリップ位置がずれた場合に、そのことを使用者に対して容易かつ確実に気づかせることができる。
【００１７】
本発明のグリップ構造体において、凹凸により形成された位置調整目盛は、使用者の手から出る汗や、手と摩擦の影響などにより消失しにくい。そのため、本発明のグリップ構造体は、長期にわたって使用しても位置調整目盛がその機能を損なうことがない。また、本発明のグリップ構造体に設けられている位置調整目盛は、視覚だけでなく触覚によっても認識できるものであり、従来のもののように必ずしもグリップ部の他の部分と色を変える等して視覚に訴えるものである必要がない。したがって、本発明のような構成を採用することにより、従来のように位置調整目盛を設けたことにより見栄えや美観が損なわれるのを防止することができる。
【００１８】
本発明のグリップ構造体は、球体を打撃するための打撃具において、球体の打撃用として設けられた打撃面に対して交差する側面側に向く部分に凹凸により形成された位置調整目盛を設けたものであり、目視だけでなく、使用者の指先の感覚によっても打撃面が所定の方向に向いているか否かを把握することができる。そのため、本発明によれば、グリップ位置だけでなく、打撃面の向きや体の開き方まで最適な状態になるよう、使用者を補助可能なグリップ構造体を提供することができる。
【００１９】
本発明のグリップ構造体をゴルフクラブに適用した場合を例に挙げて説明すると、クラブヘッドに設けられたフェースが上述した打撃面に該当し、トウ側やヒール側に向く面が側面に該当する。よって、ゴルフクラブにおいて本発明のグリップ構造体を採用した場合は、グリップ部の外周面のうち、トウ側に向く部分（以下、「トウ側周部」とも称す）、及びヒール側に向く部分（以下、「ヒール側周部」とも称す）のいずれか一方又は双方に凹凸により形成された位置調整目盛が設けられることになる。
【００２０】
そのため、本発明のグリップ構造体を備えたゴルフクラブにおいては、グリップ部においてトウ側にかかる親指の指先、あるいはヒール側にかかる他の指の指先の感覚により、クラブヘッドがスイングに適した方向に向いているか確認することができる。したがって、凹凸により形成された位置調整目盛をトウ側周部やヒール側周部に設ければ、グリップ位置だけでなく、クラブヘッドの向きや体の開き方までスイングに適した状態になるよう、使用者を補助することができる。
【００２１】
本発明のグリップ構造体は、前記グリップ部の周方向に所定の角度毎に角度調整目盛を設けた構成とすることにより、より一層確実に同様の課題を解決可能とすることができる。即ち、グリップ部の周方向に角度調整目盛を設けることにより、グリップ部の握り位置を周方向に所望の角度だけずらすことが可能となる。これにより、打撃面の向きや体の開き方がスイングに適した角度になるよう、容易かつ自在に調整することが可能となる。
【００２２】
本発明のグリップ構造体は、上述した位置調整目盛に加え、グリップ部の外周面に所定方向に向けて延びるシボを設けたものであり、シボが設けられたシボ形成領域内に位置調整目盛が形成されている。そのため、本発明のグリップ構造体においては、位置調整目盛が視覚的にさほど際だたず、位置調整目盛の存在により美観が損なわれることがない。
【００２３】
また、本発明のグリップ構造体では、凹凸により形成された位置調整目盛が、シボ形成領域内に設けられたシボが延びる方向に対して交差するように設けられているため、所定の位置においてグリップ部をグリップしようとしている使用者は、視覚や触覚により容易にシボと位置調整目盛とを区別することができ、所望の位置においてグリップ部を握ることができる。
【００２４】
また、グリップの周方向において所定の位置に使用者の指先が安定してかかるよう補助できるような構成であり、従来と異なり、グリップの外周面のうちトウ側に向く部分の所定位置に使用者の親指がかかり、他の指の指先がヒール側に向く部分の所定位置にかかるよう、補助される構成となっている。
【００２５】
本発明のゴルフクラブは、上述したグリップ構造体を備えたものであるため、見栄えや美観に優れ、使用者がグリップ部分を所定位置において確実に握ることができる。
【図面の簡単な説明】
【００２６】
【図１】本発明の一実施形態に係るゴルフクラブをフェース側から見た状態を示す正面図である。
【図２】図１に示すゴルフクラブをトウ側から見た状態を示す側面図である。
【図３】図１に示すゴルフクラブをヒール側から見た状態を示す側面図である。
【図４】図１に示すゴルフクラブの背面図である。
【図５】グリップ部において目盛が設けられた位置における横断面図である。
【図６】本発明の変形例に係るゴルフクラブをフェース側から見た状態を示す正面図である。
【図７】（ａ）は本発明の変形例に係るグリップ部を示す側面図であり、（ｂ）は（ａ）のＡ−Ａ断面図である。
【発明を実施するための形態】
【００２７】
続いて、本発明の一実施形態に係るグリップ構造体を含むゴルフクラブ１０（打撃具）について、図面を参照しつつ説明する。ただし、本発明はかかる実施形態に制限されるものではない。
【００２８】
図１に示すように、ゴルフクラブ１０は、シャフト１２の先端側にクラブヘッド１４を有し、末端側にグリップ部１６（グリップ構造体）を有する。シャフト１２は、従来公知のものと同様に中空の軸体によって構成されている。クラブヘッド１４は、従来公知のものと同様のものによって構成されている。
【００２９】
具体的には、クラブヘッド１４は、ゴルフボールを打撃するためのフェース１８（打撃面）を有する。また、図２や図３に示すように、クラブヘッド１４は、フェース１８と略交差（略直交）する側面２０、２２を有する。側面２０はクラブヘッド１４のトウ２４側をなす面であり、側面２２はヒール２６側をなす面である。
【００３０】
グリップ部１６は、使用者が把持する略円柱状の部分である。図１〜図４に示すように、グリップ部１６の外周面２８は、クラブヘッド１４のトウ２４側に向くトウ側周部３０、ヒール２６側に向くヒール側周部３２、フェース１８側に向くフェース側周部３４、クラブヘッド１４の背面側に向く背面側周部３６の４領域に大別される。
【００３１】
トウ側周部３０は、グリップ部１６をスイングするために通常の握り方でグリップ部１６を握った際に使用者の親指が添えられる部分に該当する。また、ヒール側周部３２は、前述したのと同様にしてグリップ部１６を握った際に親指を除く他の指の指先がかかる部分に該当する。フェース側周部３４や背面側周部３６は、前述したのと同様の握り方でグリップ部１６を握った際に手のひらが当たる部分に該当する。
【００３２】
図２や図３に示すように、グリップ部１６の外周面２８のうち、ヒール側周部３２及びフェース側周部３４には、シボ形成領域４０、４２が設けられている。シボ形成領域４０、４２には、シボ４４が多数設けられている。シボ４４は、グリップ部１６において滑り止めや装飾としての機能を発揮するものである。シボ４４は、グリップ部１６の長手方向（軸方向）に向けて延びるように形成されている。
【００３３】
また、シボ形成領域４０、４２には、複数の目盛５０が設けられている。目盛５０は、グリップ部１６の末端側から、グリップ部１６の軸方向に向けて所定の間隔毎に設けられている。目盛５０は、シボ４４に対して略交差（略直交）する方向、即ちグリップ部１６の周方向に延びる凹凸により形成されており、視覚だけでなく触覚によっても確認することができる。
【００３４】
ここで、図５に示すように、グリップ部１６の軸心Ｃを通りフェース１８（特に下端ライン）と略平行な仮想線Ｌ１、及びこの仮想線Ｌ１に対して軸心Ｃを中心として左右方向（フェース１８方向、背面方向）にα度だけ傾斜した仮想線Ｌ２、Ｌ３を想定した場合、目盛５０は、外周面２８において仮想線Ｌ２、Ｌ３によって区画された領域にわたって、グリップ部１６の周方向に延びるように形成されている。そのため、目盛５０の端部にあわせてグリップ部１６を握る角度を調整することにより、スイング時の体の開き具合が一定となるように調整することができる。したがって、目盛５０は、グリップ部１６の軸方向におけるグリップ位置を示す位置調整目盛としての機能に加え、グリップ部１６の周方向におけるグリップ位置（グリップ角度）乃至はカップ等の目標物への方向に対する体の開き具合を示す角度調整目盛としての機能も有する。
【００３５】
また、目盛５０は、特別な着色などが施されておらず、グリップ部１６の地色と同色とされている。そのため、目盛５０は、外観上特に目立つものではないが、グリップ部１６を所定の位置において握ろうとしている使用者は視認及び触覚の双方により容易に認識可能とされている。
【００３６】
一方、図１や図４に示すように、グリップ部１６の外周面２８をなす領域のうち、上述したシボ形成領域４０、４２を除く部分（以下、「メッシュ部」４６とも称する）は、メッシュ状に型押しされており、シボ形成領域４０、４２とは異なる表面形状とされている。そのため、フェース側周部３４や背面側周部３６と、ヒール側周部３２やフェース側周部３４とは、その外観形状に加え、握った際の触覚についても明らかに相違している。したがって、ゴルフクラブ１０は、視覚だけではなく、グリップ部１６を握った際の触覚によっても、フェース部３４が正面を向いているか否かを確認することができる。
【００３７】
図２や図３に示すように、シボ形成領域４０、４２とメッシュ部４６との境界４８は鋸歯状の形状とされている。境界４８の頂部４８ａは、上述した目盛５０に対してグリップ部１６の周方向に隣接する位置に存在している。そのため、頂部４８ａについても、目盛５０と同様にグリップ位置を確認するための目印（位置調整目盛）として機能する。
【００３８】
また、目盛５０とこれに対して周方向に隣接する頂部４８ａ、４８ａとの間隔は、グリップ部１６の周方向に略同一とされている。そのため、図５に示すように、仮想線Ｌ１に対して左右方向（フェース１８方向、背面方向）にβ度（β＞α）だけ傾斜した仮想線Ｌ４、Ｌ５を想定した場合に、仮想線Ｌ４、Ｌ５と外周面２８とが交わる位置に前述した頂部４８ａが存在している。そのため、頂部４８ａを目安としてグリップ部１６を握る角度を調整することにより、スイング時の体の開き具合が一定となるように調整することができる。したがって、頂部４８ａは、目盛５０と同様に、グリップ部１６の軸方向におけるグリップ位置を示す位置調整目盛としての機能に加え、グリップ部１６の周方向におけるグリップ位置（グリップ角度）乃至はカップ等の目標物への方向に対する体の開き具合を示す角度調整目盛としての機能も有する。
【００３９】
本実施形態のゴルフクラブ１０に採用されているグリップ部１６は、凹凸により形成された目盛５０が複数設けられたものであるため、視覚だけでなく触覚によってもグリップ位置を確認することができる。また、ゴルフクラブ１０は、スイングを行うためにグリップ部１６を握った際に指先が触れる位置に目盛５０が設けられている。
【００４０】
したがって、ゴルフクラブ１０は、いったんグリップ位置を調整してグリップ部１６を握った後、スイングを行うまでの間に何らかの拍子にグリップ位置がずれた場合に、そのことを使用者に感覚的に気づかせることができ、ミスショットが起こるのを未然に防止することができる。
【００４１】
上述したように、目盛５０は、凹凸により形成されており、使用者の手から出る汗や、手と摩擦の影響などにより消失しない。そのため、ゴルフクラブ１０を長期にわたって使用しても、目盛５０の機能が損なわれない。
【００４２】
また、目盛５０は、凹凸により形成されており、グリップ部１６の他の部分の地色と同一の色とされている。更に、目盛５０は、シボ４４が多数形成されたシボ形成領域４２内に形成されている。そのため、ゴルフクラブ１０は、一見しただけでは目盛５０が設けられていることが把握されず、見栄えや美観が良い。
【００４３】
目盛５０は、グリップ部１６の周方向にのびており、グリップ部１６の軸方向に延びるように形成されたシボ４４と視覚及び触覚の双方により区別することができる。したがって、目盛５０は、ゴルフクラブ１０の使用者には容易に把握することができる。また、上述したように、周方向に伸びる目盛５０の端部や、シボ形成領域４０、４２とメッシュ部４６との境界４８の頂部４８ａを目安としてグリップ部１６を握る角度を調整することにより、スイング時の体の開き具合が一定となるように調整することができる。
【００４４】
本実施形態のゴルフクラブ１０では、グリップ部１６の外周面２８のうち、スイングを行うためにグリップした際に指先が触れるトウ側周部３０及びヒール側周部３２に凹凸により形成された目盛５０が設けられており、フェース側周部３４や背面側周部３６には目盛５０が設けられていない。そのため、グリップ部１６を握った際の指先の感覚により、クラブヘッド１４がスイングに適した方向に向いているかを直感的に把握することができる。
【００４５】
なお、本実施形態において示したゴルフクラブ１０やグリップ部１６の構造は、本発明の一実施形態を示したものに過ぎず、他の形態とされてもよい。具体的には、本実施形態では、トウ側周部３０及びヒール側周部３２の双方に目盛５０を設けた構成を例示したが、本発明はこれに限定されるものではなく、トウ側周部３０及びヒール側周部３２のいずれか一方にのみ目盛５０を設けた構成とすることも可能である。
【００４６】
本実施形態では、クラブヘッド１４の向きについても容易に把握可能とすべく、トウ側周部３０及びヒール側周部３２に目盛５０を設けた例を例示したが、目盛５０は、図６に示すようにフェース側周部３４に設けられたり、背面側周部３５に設けられたりしてもよく、グリップ部１６の全周にわたって設けられていてもよい。
【００４７】
また、本実施形態では、目盛５０がグリップ部１６の軸方向におけるグリップ位置を確認するための目印（位置調整目盛）としての機能に加え、周方向におけるグリップ位置（グリップ角度）を示す角度調整目盛としての機能を有するものであったが、本発明はこれに限定されるものではなく、位置調整目盛又は角度調整目盛のいずれかの機能を有するものであってもよい。具体的には、目盛５０は、仮想線Ｌ２、Ｌ３によって区画された領域よりも広範囲にわたって設けられたものであってもよく、前記区画よりも狭い領域に設けられたものであってもよい。このような構成とする場合は、角度調整目盛としての機能を有する目盛や目印を別途設けることも可能である。例えば、角度調整目盛は、グリップとシャフトを接続する接続部材に設けることも可能である。
【００４８】
また、例えば図７に示すように、グリップ部１６の外周面２８の周方向に、別途、所定の角度毎に角度調整目盛６０、６２、６４等を設けたものとしてもよい。図７に示す例では、円形の角度調整目盛６０を中心として左右に３０度ずれた位置に角度調整目盛６２、６２を設け、角度調整目盛６０を中心として左右に５０度ずれた位置に角度調整目盛６４、６４を設けている。すなわち、軸心Ｃと角度調整目盛６０とを結ぶ線に対して左右に３０度又は５０度の角度で交わる直線（図５の仮想線Ｌ１に直交する直線に対応。図示せず。）上に、それぞれ角度調整目盛６２、６２又は角度調整目盛６４、６４が位置している。このような角度調整目盛６０、６２、６４を上述した目盛５０などとは別に設けることにより、グリップ角度乃至はカップ等の目標物への方向に対する体の開き具合をより一層容易に調整可能となる。この場合、目盛５０には位置調整目盛としての機能のみを持たせてもよい。
【００４９】
また、角度調整目盛のついたリング状部材をグリップ又はシャフトに取り付けてもよく、この場合、例えば、グリップ又はシャフトと、リング状部材と、のいずれか一方にリング状の溝を設け、他方にリング状リブ（連続でも不連続でもよい）を設け、リング状部材をグリップ又はシャフトに回動可能に取り付けてもよい。
【００５０】
本実施形態では、グリップ位置の目印となるものとして、凹凸により形成された目盛５０のみを設けた構成を例示したが、本発明はこれに限定されるものではなく、目盛５０に加えて、他の目印などを設けた構成としてもよい。また、本実施形態では、美観を考慮して目盛５０をグリップ部１６の地色と同色とした例を例示したが、目盛５０に着色を施し、より一層容易に視認可能なものとしてもよい。位置調整目盛と角度調整目盛とで、態様を変えてもよい。例えば位置調整目盛をグリップの軸方向における全体に設け、全体角度調整目盛をグリップの下端に設ける場合、位置調整目盛を凹凸部により形成し、手で触れることの少ない角度調整目盛は印字により形成してもよい（もちろん、点状の凹部又は凸部や、軸方向に延びる長さを有する凹部又は凸部で形成してもよい。）。
【００５１】
本実施形態では、滑り止め等として機能するシボ４４が多数形成されたシボ形成領域４０、４２内に目盛５０を設けた例を例示したが、本発明はこれに限定されるものではなく、目盛５０が設けられる部位を外れた位置にシボ形成領域４０、４２を設けた構成としてもよい。かかる構成とすることにより、目盛５０がより一層判別しやすくなる。また、本実施形態において、シボ形成領域４２は、トウ側周部３０やヒール側周部３２のみに設けられていたが、フェース側周部３４や背面側周部３６などに設けられていてもよい。
【００５２】
本実施形態では、シボ形成領域４０、４２とメッシュ部４６との境界４８に頂部４８ａを設け、この頂部４８ａを目盛５０と同様にグリップ部１６の軸方向におけるグリップ位置を確認するための目印（位置調整目盛）や、周方向におけるグリップ位置（グリップ角度）を示すための目印（角度調整目盛）として機能させたものであったが、本発明はこれに限定されるものではない。具体的には、境界４８が頂部４８ａを有さないものであってもよい。
【００５３】
グリップ部１６は、シボ形成領域４０、４２を有さず、全周にわたってメッシュ部４６が形成されたものであってもよく、シボ形成領域４０、４２やメッシュ部４６を備えず目盛５０等を除いて平坦な表面形状を有するものであってもよい。また、シボ形成領域４０、４２とメッシュ部４６との境界４８は鋸歯状の形状であったが、本発明はこれに限定されるものではなく、例えば波形に屈曲した形状等とすることが可能である。
【００５４】
また、境界４８は、屈曲せずグリップ部１６の軸方向に向けて真っ直ぐ延びる形状であってもよい。かかる構成とした場合は、グリップ部１６の軸方向におけるグリップ位置を確認するための目印（位置調整目盛）としての機能は損なわれるが、境界４８となる位置を調整することにより、周方向におけるグリップ位置（グリップ角度）を示すための目印（角度調整目盛）として境界４８を機能させることが可能となる。
【００５５】
本実施形態では、複数設けられた目盛５０がいずれも同一の長さ、形状を有するものであったが、本発明はこれに限定されるものではなく、図６に示すように長さの異なる目盛５０が存在するものや、形状の異なる目盛５０が混在したものであってもよい。
【００５６】
また、目盛５０は、グリップ部１６の軸方向に一定の間隔で設けられたものであったが、本発明はこれに限定されるものではなく、隣接する目盛５０同士の間隔が部位によって相違していてもよい。更に、目盛５０同士の間隔は、ｍｍ、ｃｍ、インチ等、いかなる長さ単位で規定されたものであってもよい。
【００５７】
また、位置調整目盛の場合は、目盛の横等に、例えば１ｃｍ、２ｃｍ、３ｃｍ、・・・、等の数値及び単位でグリップ下端からの距離を示してもよい。角度調整目盛の場合は、目盛の横等に、例えば５°、−５°、１０°、−１０°、１５°、−１５°、・・・、等の数値及び単位で仮想線Ｌ１に対する角度を示してもよい。上記では仮想線Ｌ１に対する角度で説明したが、仮想線Ｌ１に略垂直な仮想線Ｌ６（図示せず。）に対する角度を目盛に示してもよい。
【００５８】
本実施形態では、グリップ部１６（グリップ構造体）を備えた打撃具の一例としてゴルフクラブ１０を例示したが、本発明はこれに限定されるものではなく、テニスラケットやバトミントン用のラケット等、グリップを有し球体を打撃するための打撃具全般に適用可能である。
【産業上の利用可能性】
【００５９】
本発明のグリップ構造体は、ゴルフクラブやテニスラケット等、グリップを有する全ての物品に適用可能である。本発明のグリップ構造体を具備する物品では、視覚だけでなく触覚によってもグリップ位置を把握することができるため、球体を打撃するのに適した位置となるよう容易にグリップ位置を調整することができる。
【符号の説明】
【００６０】
１０                ゴルフクラブ（打撃具）
１６                グリップ部（グリップ構造体）
１８                フェース（打撃面）
２０、２２          側面
３０                トウ側周部
３２                ヒール側周部
４０、４２          シボ形成領域
４４                シボ
４８ａ              頂部（位置調整目盛、角度調整目盛）
５０                目盛（位置調整目盛、角度調整目盛）
６０、６２、６４    角度調整目盛
【図１】
2011087677.tif 000003
【図２】
2011087677.tif 000004
【図３】
2011087677.tif 000005
【図４】
2011087677.tif 000006
【図５】
2011087677.tif 000007
【図６】
2011087677.tif 000008
【図７】
2011087677.tif 000009
【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
グリップ部と、
前記グリップ部の軸方向に所定の間隔毎に設けられており少なくとも一部が凹凸部により形成されている位置調整目盛、及び／又は、前記グリップ部の周方向に所定の角度毎に設けられている角度調整目盛と、
を具備し、
前記グリップ部の外周面に、所定方向に向けてのびるシボが形成されたシボ形成領域を有し、
前記凹凸部が前記シボ形成領域内に設けられており、
前記シボが延びる方向と、前記凹凸部延びる方向とが交差していること
を特徴とするグリップ構造体。
【請求項２】
打撃時に球体が接触する打撃面を有する打撃具に用いられるものであって、
前記グリップ部の外周面のうち、前記打撃面に略交差する側面部分に前記凹凸部が設けられていること、
を特徴とする請求項１に記載のグリップ構造体。
【請求項３】
請求項１又は２に記載のグリップ構造体を具備すること、
を特徴とするゴルフクラブ。
【手続補正２】
【補正対象書類名】明細書
【補正対象項目名】００１３
【補正方法】変更
【補正の内容】
【００１３】
上記本発明のグリップ構造体は、更に、
前記グリップ部の外周面に、所定方向に向けてのびるシボが形成されたシボ形成領域を有し、
前記凹凸部が前記シボ形成領域内に設けられており、
前記シボが延びる方向と、前記凹凸部が延びる方向とが交差していることを特徴とする。
【手続補正３】
【補正対象書類名】明細書
【補正対象項目名】００１４
【補正方法】変更
【補正の内容】
【００１４】
上記本発明のグリップ構造体は、
打撃時に球体が接触する打撃面を有する打撃具に用いられるものであって、
前記グリップ部の外周面のうち、前記打撃面に略交差する側面部分に前記凹凸部が設けられていることを特徴とするものとすることが可能である。
【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
グリップ部と、
前記グリップ部の軸方向に所定の間隔毎に設けられており少なくとも一部が凹凸部により形成されている位置調整目盛と、
前記グリップ部の周方向に所定の角度毎に設けられている角度調整目盛と、
を具備するグリップ構造体であって、
前記グリップ部の外周面において、前記軸方向に延びるようにシボが形成されたシボ形成領域内に、前記軸方向に略垂直な方向に延びるように形成された所定長さの直線状の凹凸部が、前記位置調整目盛及び前記角度調整目盛としての機能を有し、
前記グリップ部の外周面のうちの少なくともトウ側周部の下端部において、点状の凹凸部と、前記点状の凹凸部の両側に、前記軸方向に延びるように形成された所定長さの直線状の凹凸部と、が前記角度調整目盛としての機能を有すること、
を特徴とするグリップ構造体。
【請求項２】
打撃時に球体が接触する打撃面を有する打撃具に用いられるものであって、
前記グリップ部の外周面のうち、前記打撃面に略交差する側面部分に前記凹凸部が設けられていること、
を特徴とする請求項１に記載のグリップ構造体。
【請求項３】
請求項１又は２に記載のグリップ構造体を具備すること、
を特徴とするゴルフクラブ。
【手続補正２】
【補正対象書類名】明細書
【補正対象項目名】００１１
【補正方法】変更
【補正の内容】
【００１１】
上述した課題を解決すべく、本発明は、
グリップ部と、
前記グリップ部の軸方向に所定の間隔毎に設けられており少なくとも一部が凹凸部により形成されている位置調整目盛と、
前記グリップ部の周方向に所定の角度毎に設けられている角度調整目盛と、
を具備するグリップ構造体であって、
前記グリップ部の外周面において、前記軸方向に延びるようにシボが形成されたシボ形成領域内に、前記軸方向に略垂直な方向に延びるように形成された所定長さの直線状の凹凸部が、前記位置調整目盛及び前記角度調整目盛としての機能を有し、
前記グリップ部の外周面のうちの少なくともトウ側周部の下端部において、点状の凹凸部と、前記点状の凹凸部の両側に、前記軸方向に延びるように形成された所定長さの直線状の凹凸部と、が前記角度調整目盛としての機能を有すること、
を特徴とするグリップ構造体を提供する。
【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
グリップ部と、
前記グリップ部の軸方向に所定の間隔毎に設けられており少なくとも一部が凹凸部により形成されている位置調整目盛と、
前記グリップ部の周方向に所定の角度毎に設けられている角度調整目盛と、
を具備するグリップ構造体であって、
前記グリップ部の外周面において、前記軸方向に延びるようにシボが形成されたシボ形成領域内に、前記軸方向に略垂直な方向に延びるように形成された所定長さの直線状の凹凸部が、前記位置調整目盛及び前記角度調整目盛としての機能を有し、
前記グリップ部の外周面のうちの少なくともトウ側周部の下端部において、点状の凹凸部と、前記点状の凹凸部の両側に、前記軸方向に延びるように形成された所定長さの直線状の凹凸部と、が前記角度調整目盛としての機能を有し、
前記直線状の凹凸部が、前記グリップの軸心からみて左右に３０°及び５０°の位置に設けられていること、
を特徴とするグリップ構造体。
【請求項２】
打撃時に球体が接触する打撃面を有する打撃具に用いられるものであって、
前記グリップ部の外周面のうち、前記打撃面に略交差する側面部分に前記凹凸部が設けられていること、
を特徴とする請求項１に記載のグリップ構造体。
【請求項３】
請求項１又は２に記載のグリップ構造体を具備すること、
を特徴とするゴルフクラブ。
【手続補正２】
【補正対象書類名】明細書
【補正対象項目名】００１１
【補正方法】変更
【補正の内容】
【００１１】
上述した課題を解決すべく、本発明は、
グリップ部と、
前記グリップ部の軸方向に所定の間隔毎に設けられており少なくとも一部が凹凸部により形成されている位置調整目盛と、
前記グリップ部の周方向に所定の角度毎に設けられている角度調整目盛と、
を具備するグリップ構造体であって、
前記グリップ部の外周面において、前記軸方向に延びるようにシボが形成されたシボ形成領域内に、前記軸方向に略垂直な方向に延びるように形成された所定長さの直線状の凹凸部が、前記位置調整目盛及び前記角度調整目盛としての機能を有し、
前記グリップ部の外周面のうちの少なくともトウ側周部の下端部において、点状の凹凸部と、前記点状の凹凸部の両側に、前記軸方向に延びるように形成された所定長さの直線状の凹凸部と、が前記角度調整目盛としての機能を有し、
前記直線状の凹凸部が、前記グリップの軸心からみて左右に３０°及び５０°の位置に設けられていること、
を特徴とするグリップ構造体を提供する。
【手続補正書】
【提出日】平成22年6月17日(2010.6.17)
【手続補正１】
【補正対象書類名】特許請求の範囲
【補正対象項目名】全文
【補正方法】変更
【補正の内容】
【特許請求の範囲】
【請求項１】
グリップ部と、
前記グリップ部の軸方向に所定の間隔毎に設けられており少なくとも一部が凹凸部により形成されている位置調整目盛と、
前記グリップ部の周方向に所定の角度毎に設けられている角度調整目盛と、
を具備するグリップ構造体であって、
前記グリップ部の外周面において、前記軸方向に延びるようにシボが形成されたシボ形成領域内に、前記軸方向に略垂直な方向に延びるように形成された所定長さの直線状の凹凸部が、前記位置調整目盛及び前記角度調整目盛としての機能を有し、
前記グリップ部の外周面のうちの少なくともトウ側周部の下端部において、点状の凹凸部と、前記点状の凹凸部の両側に、前記軸方向に延びるように形成された所定長さの直線状の凹凸部と、が前記角度調整目盛としての機能を有し、
前記直線状の凹凸部が、前記グリップの軸心からみて左右に３０°及び５０°の位置に設けられていること、
を特徴とするゴルフクラブ用グリップ構造体。
【請求項２】
打撃時に球体が接触する打撃面を有する打撃具に用いられるものであって、
前記グリップ部の外周面のうち、前記打撃面に略交差する側面部分に前記凹凸部が設けられていること、
を特徴とする請求項１に記載のゴルフクラブ用グリップ構造体。
【請求項３】
請求項１又は２に記載のゴルフクラブ用グリップ構造体を具備すること、
を特徴とするゴルフクラブ。
【手続補正２】
【補正対象書類名】明細書
【補正対象項目名】００１１
【補正方法】変更
【補正の内容】
【００１１】
上述した課題を解決すべく、本発明は、
グリップ部と、
前記グリップ部の軸方向に所定の間隔毎に設けられており少なくとも一部が凹凸部により形成されている位置調整目盛と、
前記グリップ部の周方向に所定の角度毎に設けられている角度調整目盛と、
を具備するゴルフクラブ用グリップ構造体であって、
前記グリップ部の外周面において、前記軸方向に延びるようにシボが形成されたシボ形成領域内に、前記軸方向に略垂直な方向に延びるように形成された所定長さの直線状の凹凸部が、前記位置調整目盛及び前記角度調整目盛としての機能を有し、
前記グリップ部の外周面のうちの少なくともトウ側周部の下端部において、点状の凹凸部と、前記点状の凹凸部の両側に、前記軸方向に延びるように形成された所定長さの直線状の凹凸部と、が前記角度調整目盛としての機能を有し、
前記直線状の凹凸部が、前記グリップの軸心からみて左右に３０°及び５０°の位置に設けられていること、
を特徴とするゴルフクラブ用グリップ構造体を提供する。